(57)【特許請求の範囲】
【請求項１】
走行可能に構成された移動式クレーンであって、
下部走行体と、
前記下部走行体上に旋回可能となるように搭載された上部旋回体とを備え、
前記上部旋回体は、当該上部旋回体の前後方向に延びるとともに起伏自在となるように当該上部旋回体に設けられたブームとそのブームの先端から吊り下げられて吊荷が装着される装着部とを有する作業装置と、当該上部旋回体の左右方向において前記ブームに対して一方側に配置された運転室と、前記運転室内に設けられていてオペレータが前記移動式クレーンの走行のための操作及び前記作業装置の操作を座って行う運転席と、前記下部走行体の前端部のうち当該下部走行体の左右方向において前記ブームに対して前記運転室と反対側に位置する部分に設けられて前記下部走行体の前側の下方を映す前側ミラーと、前記運転室内において前記運転席の前側に設けられていて少なくとも前記移動式クレーンの走行に関する情報を表示する前側表示装置と、前記運転室内において前記運転席の前記ブーム側の側方に設けられていて少なくとも前記作業装置によるクレーン作業に関する情報であって吊荷の実荷重、定格荷重及び作業半径を含む情報を表示する側部表示装置とを備え、
前記運転室の前壁のうち前記前側表示装置に対して前記ブーム側で且つ前記前側表示装置よりも下側に位置する領域には、第１視認部が、前記運転室内から当該第１視認部を通して前記運転室の外部を視認可能となるように設けられ、
前記運転室の前記ブーム側の側壁には、ブーム側窓が、前記運転室内から当該ブーム側窓を通して前記運転室の外部の前記ブーム側の側方を視認可能となるように設けられ、
前記側部表示装置は、前記ブーム側窓の範囲内に配置され、
前記ブーム側窓は、前記側部表示装置の前方に位置する部分であって当該部分を通して前記運転室内から前記装着部を視認可能な部分である前側視認部と、前記側部表示装置の下方に位置する部分であって当該部分を通して前記前側ミラーを視認可能な下側視認部と、を有する、移動式クレーン。
【請求項２】
走行可能に構成された移動式クレーンであって、
下部走行体と、
前記下部走行体上に旋回可能となるように搭載された上部旋回体とを備え、
前記上部旋回体は、当該上部旋回体の前後方向に延びるとともに起伏自在となるように当該上部旋回体に設けられたブームとそのブームの先端から吊り下げられて吊荷が装着される装着部とを有する作業装置と、当該上部旋回体の左右方向において前記ブームに対して一方側に配置された運転室と、前記運転室内に設けられていてオペレータが前記移動式クレーンの走行のための操作及び前記作業装置の操作を座って行う運転席と、前記下部走行体のうち当該下部走行体の左右方向において前記ブームに対して前記運転室と反対側に位置する部分に設けられて前記下部走行体の後方を映す下部走行体バックミラーと、前記運転室内において前記運転席の前側に設けられていて少なくとも前記移動式クレーンの走行に関する情報を表示する前側表示装置と、前記運転室内において前記運転席の前記ブーム側の側方に設けられていて少なくとも前記作業装置によるクレーン作業に関する情報であって吊荷の実荷重、定格荷重及び作業半径を含む情報を表示する側部表示装置とを備え、
前記運転室の前壁のうち前記前側表示装置に対して前記ブーム側で且つ前記前側表示装置よりも下側に位置する領域には、第１視認部が、前記運転室内から当該第１視認部を通して前記運転室の外部を視認可能となるように設けられ、
前記運転室の前記ブーム側の側壁には、ブーム側窓が、前記運転室内から当該ブーム側窓を通して前記運転室の外部の前記ブーム側の側方を視認可能となるように設けられ、
前記側部表示装置は、前記ブーム側窓の範囲内に配置され、
前記ブーム側窓は、前記側部表示装置の前方に位置する部分であって当該部分を通して前記運転室内から前記装着部を視認可能な部分である前側視認部と、前記側部表示装置の下方に位置する部分であって当該部分を通して前記下部走行体バックミラーを視認可能な下側視認部と、を有する、移動式クレーン。
【請求項３】
前記運転室の前壁のうち前記前側表示装置に対して前記ブームと反対側で且つ前記前側表示装置よりも下側に位置する領域には、第２視認部が、前記運転室内から当該第２視認部を通して前記運転室の外部を視認可能となるように設けられている、請求項１または２に記載の移動式クレーン。
【請求項４】
前記上部旋回体のうち当該上部旋回体の左右方向において前記ブームに対して前記運転室と反対側に位置する部分には、後方を映す上部旋回体バックミラーが設けられ、
前記運転室の前記ブーム側の側壁のうち前記側部表示装置の後方に位置する領域には、後側視認部が、前記運転室内から当該後側視認部を通して前記上部旋回体バックミラーを視認可能となるように設けられている、請求項１〜３のいずれかに記載の移動式クレーン。
【請求項５】
前記下部走行体は、ホイール式の走行体である、請求項１〜４のいずれか１項に記載の移動式クレーン。
【発明の詳細な説明】
【技術分野】
【０００１】
本発明は、移動式クレーンに関するものである。
【背景技術】
【０００２】
従来、走行可能に構成された移動式クレーンが知られており、下記特許文献１にはこのような移動式クレーンの一例が示されている。移動式クレーンでは、下部走行体上に搭載された上部旋回体に運転室とクレーン作業用の作業装置とが設けられている。作業装置は、上部旋回体の前後方向に延びるとともに起伏可能となるように上部旋回体に設けられたブームと、そのブームの先端から吊り下げられて吊荷が装着される装着部とを備える。運転室は、上部旋回体の左右方向においてブームに対して一方側に配設されている。運転室内の略中央には、運転席が設けられており、オペレータは、この運転席に座ってクレーンの走行のための操作及びクレーン作業のための作業装置の操作を行う。運転室内の運転席の前側には、各種情報を表示する表示装置としてのメータパネルが設けられている。
【先行技術文献】
【特許文献】
【０００３】
【特許文献１】特開２００１−１８７６９１号公報
【発明の概要】
【発明が解決しようとする課題】
【０００４】
ところで、昨今では、より多くの情報を運転室内の表示装置に表示することが求められており、その結果、表示装置が大型化する傾向にある。しかしながら、運転席の前側に設けられた表示装置が大型化した場合には、運転席に座ったオペレータから前方斜め下側でブーム寄りの領域の視界が表示装置によって遮られ、オペレータが地面付近で行われる作業装置の装着部への吊荷の装着の状況を視認できなくなる虞がある。また、クレーンの走行時と作業時とでその時の状況に応じた情報をそれぞれ確認しやすい位置に表示することがクレーンのオペレータから望まれている。
【０００５】
この発明は、上記の課題を解決するためになされたものであり、その目的は、表示装置に表示する情報量の増大に対応しつつ、運転室内の運転席に座ったオペレータがクレーンの作業装置の装着部への吊荷の装着状況を視認できるようにするとともに、クレーンの状況に応じた情報をオペレータから確認しやすい位置に表示できるようにすることである。
【課題を解決するための手段】
【０００６】
上記目的を達成するために、本発明による移動式クレーンは、走行可能に構成された移動式クレーンであって、下部走行体と、前記下部走行体上に旋回可能となるように搭載された上部旋回体とを備え、前記上部旋回体は、当該上部旋回体の前後方向に延びるとともに起伏自在となるように当該上部旋回体に設けられたブームとそのブームの先端から吊り下げられて吊荷が装着される装着部とを有する作業装置と、当該上部旋回体の左右方向において前記ブームに対して一方側に配置された運転室と、前記運転室内に設けられていてオペレータが前記移動式クレーンの走行のための操作及び前記作業装置の操作を座って行う運転席と、前記運転室内において前記運転席の前側に設けられていて少なくとも前記移動式クレーンの走行に関する情報を表示する前側表示装置と、前記運転室内において前記運転席の前記ブーム側の側方に設けられていて少なくとも前記作業装置によるクレーン作業に関する情報を表示する側部表示装置とを備え、前記運転室の前壁のうち前記前側表示装置に対して前記ブーム側で且つ前記前側表示装置よりも下側に位置する領域には、第１視認部が、前記運転室内から当該第１視認部を通して前記運転室の外部を視認可能となるように設けられ、前記運転室の前記ブーム側の側壁には、ブーム側窓が、前記運転室内から当該ブーム側窓を通して前記運転室の外部の前記ブーム側の側方を視認可能となるように設けられ、前記側部表示装置は、前記ブーム側窓の範囲内に配置され、前記ブーム側窓は、前記側部表示装置の前方に位置する部分であって当該部分を通して前記運転室内から前記装着部を視認可能な部分である前側視認部を有する。
【０００７】
この移動式クレーンでは、少なくとも移動式クレーンの走行に関する情報を表示する前側表示装置と少なくとも作業装置によるクレーン作業に関する情報を表示する側部表示装置とが運転室内に設けられているため、表示すべき情報量が増大したとしても、移動式クレーンの走行に関する情報とクレーン作業に関する情報を前側表示装置と側部表示装置とに分けて表示することができる。このため、表示装置に表示する情報量の増大に対応することができる。そして、この移動式クレーンでは、移動式クレーンの走行に関する情報とクレーン作業に関する情報を前側表示装置と側部表示装置とに分けて表示することができることから、前側表示装置の大型化を防ぐことができる。その結果、運転室内において前側表示装置に対してブーム側で且つ前側表示装置よりも下側に位置する領域にスペースを確保することができ、そのスペースを利用して第１視認部を設けることができる。このため、運転室内の運転席に座ったオペレータは、地面付近で行われる作業装置の装着部への吊荷の装着の状況を第１視認部を通して視認することができる。さらに、この移動式クレーンでは、少なくとも移動式クレーンの走行に関する情報を表示する前側表示装置が運転室内において運転席の前側に設けられているとともに、少なくとも作業装置によるクレーン作業に関する情報を表示する側部表示装置が運転室内において運転席のブーム側の側方に設けられているため、オペレータは、クレーンの走行のために運転席から前方を向いてクレーンを運転する時には目線の向きをあまり変えずに前側表示装置に表示されるクレーンの走行に関する情報を確認でき、クレーン作業のために運転席からブーム側を向いて作業装置を操作する時には目線の向きをあまり変えずに側部表示装置に表示されるクレーン作業に関する情報を確認できる。すなわち、この移動式クレーンでは、走行時とクレーン作業時とで状況に応じた情報をオペレータから確認しやすい位置に表示することができる。以上のように、この移動式クレーンでは、表示装置に表示する情報量の増大に対応しつつ、運転室内の運転席に座ったオペレータが作業装置の装着部への吊荷の装着状況を視認することができ、且つ、クレーンの状況に応じた情報をオペレータから確認しやすい位置に表示することができる。
【０００８】
上記移動式クレーンにおいて、前記運転室の前壁のうち前記前側表示装置に対して前記ブームと反対側で且つ前記前側表示装置よりも下側に位置する領域には、第２視認部が、前記運転室内から当該第２視認部を通して前記運転室の外部を視認可能となるように設けられていることが好ましい。
【０００９】
この構成によれば、クレーン作業時に運転室からブームと反対側の側方へ上部旋回体を旋回する場合に、運転室内の運転席に座ったオペレータは、第２視認部を通して運転室の前方斜め下で且つ旋回先の領域の状況を視認することができる。
【００１０】
上記移動式クレーンにおいて、前記上部旋回体のうち当該上部旋回体の左右方向において前記ブームに対して前記運転室と反対側に位置する部分には、後方を映す上部旋回体バックミラーが設けられ、前記運転室の前記ブーム側の側壁のうち前記側部表示装置の後方に位置する領域には、後側視認部が、前記運転室内から当該後側視認部を通して前記上部旋回体バックミラーを視認可能となるように設けられていることが好ましい。
【００１１】
この構成によれば、例えば移動式クレーンの走行時に、運転室内の運転席に座ったオペレータが後側視認部を通して上部旋回体バックミラーに映った後方の状況を視認することができる。
【００１２】
本発明の第１の態様では、上記移動式クレーンの上部旋回体が、前記下部走行体の前端部のうち当該下部走行体の左右方向において前記ブームに対して前記運転室と反対側に位置する部分に設けられて前記下部走行体の前側の下方を映す前側ミラーをさらに備え、前記ブーム側窓は、前記側部表示装置の下方に位置する部分であって前記運転室内から当該部分を通して前記前側ミラーを視認可能な下側視認部をさらに有する。
【００１３】
この構成によれば、例えば移動式クレーンの走行時に、運転室内の運転席に座ったオペレータが下側視認部を通して前側ミラーに映った下部走行体の前側下方の状況を視認することができる。
【００１４】
この出願の第２の態様では、上記移動式クレーンの上部旋回体が、前記下部走行体のうち当該下部走行体の左右方向において前記ブームに対して前記運転室と反対側に位置する部分に設けられて前記下部走行体の後方を映す下部走行体バックミラーをさらに備え、前記ブーム窓は、前記側部表示装置の下方に位置する部分であって前記運転室内から当該部分を通じて前記下部走行体バックミラーを視認可能な下側視認部をさらに有する。
【００１５】
この構成によれば、例えば移動式クレーンの走行時に、運転室内の運転席に座ったオペレータが下側視認部を通して下部走行体バックミラーに映った下部走行体の後方の状況を視認することができる。
【００１６】
上記移動式クレーンにおいて、前記下部走行体は、ホイール式の走行体であってもよい（請求項６）。
【００１７】
この構成によれば、表示装置に表示する情報量の増大に対応しつつ、運転室内の運転席に座ったオペレータが作業装置の装着部への吊荷の装着状況を視認可能であり、且つ、クレーンの状況に応じた情報をオペレータから確認しやすい位置に表示可能なホイールクレーンを構成することができる。
【発明の効果】
【００１８】
以上説明したように、本発明によれば、表示装置に表示する情報量の増大に対応しつつ、運転室内の運転席に座ったオペレータがクレーンの作業装置の装着部への吊荷の装着状況を視認することができ、且つ、クレーンの状況に応じた情報をオペレータから確認しやすい位置に表示することができる。
【図面の簡単な説明】
【００１９】
【図１】本発明の一実施形態による移動式クレーンの走行時の状態を示す側面図である。
【図２】図１に示した移動式クレーンの前半部を部分的に示す上面図である。
【図３】本発明の一実施形態による移動式クレーンのブームに延長ブームを接続せずにクレーン作業を行う時の状態を示す側面図である。
【図４】本発明の一実施形態による移動式クレーンのブームに延長ブームを接続してクレーン作業を行う時の状態を示す側面図である。
【図５】移動式クレーンの運転室内を後方上部から前方下部へ向かって見た図である。
【図６】走行位置にある運転室の内部をブームと反対側からブーム側へ向かって（右方から左方へ向かって）見た図である。
【図７】走行位置にある運転室の内部をブームと反対側の側方後部からブーム側前方へ向かって（右後方から左前方へ向かって）見た図である。
【図８】走行位置にある運転室内の運転席に座ったオペレータから見たブーム側斜め前方（左斜め前方）の視界を部分的に示す図である。
【図９】クレーン作業時に運転室内をブーム側斜め前方へ向かって見た図であって、運転室の前面窓からブーム側窓にかけてフック装置が現れた状態を示す図である。
【図１０】走行位置にある運転室の内部を後方から前方の僅かにブームと反対側寄りに向かって見た図である。
【図１１】本発明の変形例による移動式クレーンの運転室内を上方から下方へ向って見た図である。
【発明を実施するための形態】
【００２０】
以下、本発明の一実施形態を図面を参照して説明する。
【００２１】
図１〜図１０を参照して、本発明の一実施形態による自走可能な移動式クレーン（以下、単にクレーンという）の構成について説明する。なお、以下の説明において、「前」とは、クレーンの通常の走行時（前進時）における前方を意味し、「後」とは、前方に対して反対側の方向を意味する。また、「左」とは、クレーンの前方に向かって左方を意味し、「右」とは、クレーンの前方に向かって右方を意味する。
【００２２】
本実施形態によるクレーンは、図１に示すように、下部走行体２と、上部旋回体４とを備える。
【００２３】
下部走行体２は、複数の車輪２ａを備えていて、それらの車輪２ａを回転駆動することにより走行するホイール式の走行体である。従って、本実施形態によるクレーンは、いわゆるホイールクレーンである。下部走行体２は、複数のアウトリガ装置２ｂ（図３参照）を備えている。クレーン作業時には、下部走行体２は、車輪２ａが接地した走行時の状態から、図３に示すように複数のアウトリガ装置２ｂにより地面から持ち上げられて支えられ、その状態で保持される。下部走行体２の前端部の左端部には、図２に示すように、前側ミラー４２と、走行体左側バックミラー４３とが設けられている。換言すれば、走行体左側バックミラー４３は、クレーンの走行時の状態で下部走行体２のうち当該下部走行体２の左右方向において後述のブーム１６に対して後述の運転室１０と反対側に位置する部分に設けられている。前側ミラー４２は、下部走行体２の前側下方の領域であって下部走行体２の前端部に近接した領域を映すものである。走行体左側バックミラー４３は、下部走行体２の左側の後方を映すものであり、本発明の「下部走行体バックミラー」の一例である。また、下部走行体２の前端部の右端部には、走行体右側バックミラー４４が設けられている。走行体右側バックミラー４４は、下部走行体２の右側の後方を映すものである。
【００２４】
上部旋回体４（図１参照）は、下部走行体２上に旋回可能となるように搭載されている。上部旋回体４は、上部フレーム６と、図略の旋回装置と、作業装置８と、運転室１０と、昇降装置１３とを有する。
【００２５】
上部フレーム６は、上部旋回体４のベースとなる部分であり、下部走行体２上に縦軸回りに旋回自在となるように搭載されている。上部フレーム６の前端部の左端部には、図２に示すように、旋回体左側バックミラー４５と、旋回体左下側バックミラー４６とが設けられている。換言すれば、旋回体左側バックミラー４５及び旋回体左下側バックミラー４６は、上部旋回体４のうち当該上部旋回体４の左右方向において後述のブーム１６に対して後述の運転室１０と反対側に位置する部分に設けられている。旋回体左側バックミラー４５は、上部旋回体４の左側の後方の領域を映すものであり、本発明の「上部旋回体バックミラー」の一例である。旋回体左下側バックミラー４６は、上部旋回体４の左側の後方で且つ下側の領域を映すものである。上部フレーム６は、当該上部フレーム６及び下部走行体２に設けられた図略の旋回装置により縦軸回りに旋回されるようになっている。
【００２６】
作業装置８（図３参照）は、吊荷の吊り作業（クレーン作業）を行うための装置であり、上部フレーム６上に設置されている。作業装置８は、ブーム１６と、起伏装置１７と、フック装置１８と、巻上ウインチ２５とを有する。
【００２７】
ブーム１６は、上部フレーム６の左右方向の中央近傍の位置で上部フレーム６の前後方向に沿って延びるように設けられている。ブーム１６の基端部は、左右方向に延びる軸回りに回動可能となるように上部フレーム６の前端部に取り付けられている。これにより、ブーム１６は、その基端部の左右方向に延びる軸を中心として起伏自在となっている。クレーンの走行時には、ブーム１６は、図１に示すように、前方に倒伏された状態で固定される。一方、クレーン作業時には、ブーム１６は、図３に示すように、前方斜め上へ起立される。クレーン作業の作業半径を拡大するために、ブーム１６の先端には、図４に示すように、延長ブーム１６ａが連結される場合もある。
【００２８】
起伏装置１７は、ブーム１６を起伏させる装置である。この起伏装置１７は、起伏ウインチ２０と、ガントリ２１と、下部スプレッダ２２ａと、上部スプレッダ２２ｂとを有する。起伏ウインチ２０は、上部フレーム６の後部上に設置されている。ガントリ２１は、上部フレーム６の後部上に立設されている。下部スプレッダ２２ａは、ガントリ２１の上端部に設けられている。上部スプレッダ２２ｂは、下部スプレッダ２２ａから前側に離間して配置されており、この上部スプレッダ２２ｂと下部スプレッダ２２ａとに起伏ウインチ２０から引き出された起伏ロープ２３が巻き掛けられている。上部スプレッダ２２ｂは、ガイライン２４を介してブーム１６の先端（ブーム１６に延長ブーム１６ａを連結した場合には延長ブーム１６ａの先端）に接続されている。起伏ウインチ２０が起伏ロープ２３の巻取り／巻出しを行うことにより下部スプレッダ２２ａと上部スプレッダ２２ｂとの間の間隔が変化し、それに応じてブーム１６が起伏するようになっている。
【００２９】
フック装置１８は、吊荷が装着されるものであり、本発明の装着部の一例である。フック装置１８は、吊ロープ１９を介してブーム１６の先端又は延長ブーム１６ａの先端から吊り下げられる。吊ロープ１９は、上部フレーム６上に設置された巻上ウインチ２５から引き出されており、この巻上ウインチ２５が吊ロープ１９の巻取り／巻出しを行うことによりフック装置１８の昇降（吊荷の昇降）が行われるようになっている。
【００３０】
運転室１０は、その内部でオペレータがクレーンの走行のための運転及びクレーン作業のための作業装置８の操作を行うものである。運転室１０は、昇降装置１３を介して上部フレーム６の前端部に取り付けられており、ブーム１６の右側に配置されている。具体的には、運転室１０は、当該運転室１０のブーム１６と反対側の側面（右側面）が上から見て上部フレーム６の右側縁部と略一致するような位置に配置されている。昇降装置１３は、運転室１０を図１に示す走行位置Ｐ１と図３及び図４に示す作業位置Ｐ２との間で昇降させる。走行位置Ｐ１は、運転室１０内のオペレータがクレーンの走行のための運転を行いやすいように比較的低い位置に設定されており、作業位置Ｐ２は、運転室１０内のオペレータがクレーン作業のために広い視界を確保しやすいように走行位置Ｐ１よりも上側で比較的高い位置に設定されている。
【００３１】
運転室１０の前壁のうち高さ方向の中央よりもある程度下側の位置から上端付近にかけての領域には、透明なガラス窓である前面窓２６（図５及び図１０参照）が設けられており、この前面窓２６を通して運転室１０内から運転室１０外の前方を見渡すことが可能となっている。また、クレーンの走行時には、運転室１０が走行位置Ｐ１（図１参照）に配置された状態で、後述の運転席３０に座ったオペレータが前面窓２６を通して走行体右側バックミラー４４（図１０参照）を視認可能となるようになっている。オペレータは、走行体右側バックミラー４４を視認してその走行体右側バックミラー４４に映った下部走行体２の右側後方の状況を確認する。
【００３２】
また、図５に示すように、運転室１０の前壁のうち前面窓２６よりも下側の領域には、透明なガラス窓である第１視認部２７及び第２視認部２８が設けられている。また、図６に示すように、運転室１０のブーム１６側の側壁のうち後述する運転席３０の背もたれ３０ａよりも前側で且つ高さ方向の中央付近から上端付近にかけての領域には、透明なガラス窓であるブーム側窓２９が設けられており、このブーム側窓２９を通して運転室１０内から運転室１０外のブーム１６側の側方（左方）からそのブーム１６側の斜め前方を見渡すことが可能となっている。第１視認部２７、第２視認部２８及びブーム側窓２９の具体的な構成については、後述する。
【００３３】
クレーンは、図５に示すように、運転室１０内に設けられた運転席３０、運転装置３２、操作装置３３、前側表示装置３４及び側部表示装置３６（図６参照）を備えている。
【００３４】
運転席３０は、運転室１０内の略中央に設置されている。運転席３０は、オペレータが座ってクレーンの走行のための運転（運転装置３２の操作）及びクレーン作業のための作業装置８の操作（操作装置３３の操作）を行うものである。
【００３５】
運転装置３２は、クレーンの走行のための運転に用いられるものである。運転装置３２は、オペレータがクレーンの運転のために操作するハンドル３２ａを備えており、運転室１０内において運転席３０の前側に設置されている。
【００３６】
操作装置３３は、クレーン作業を行う作業装置８の操作（フック装置１８の昇降のための巻上ウインチ２５の操作、ブーム１６の起伏のための起伏ウインチ２０の操作、上部旋回体４の旋回操作等）に用いられるものである。操作装置３３は、オペレータが手動操作する操作レバー３３ａを備えており、運転室１０内において運転席３０の前側で且つブーム１６側（左側）に設けられている。
【００３７】
前側表示装置３４は、クレーンの走行のための情報、具体的には走行速度やエンジンの回転数等の情報を表示するモニタである。前側表示装置３４は、運転室１０内において運転席３０の前側、具体的には運転装置３２のさらに前側に設けられている。前側表示装置３４は、情報を表示する表示画面３４ａを備えている。表示画面３４ａは、後方斜め上を向いており、運転席３０に座ったオペレータの目線に概ね合う角度で配置されている。
【００３８】
側部表示装置３６は、作業装置８によるクレーン作業に関する情報、具体的には吊荷の実荷重や定格荷重、作業半径等の情報を表示するモニタである。側部表示装置３６は、運転室１０内において運転席３０のブーム１６側の側方に設けられている。具体的には、側部表示装置３６は、運転室１０内のブーム１６側の側面のうち運転席３０よりも前寄りの位置で且つ当該側面の上部に設けられている。側部表示装置３６は、情報を表示する表示画面３６ａを備えている。表示画面３６ａは、本実施形態では、運転室１０内のブーム１６側の側面と略平行に配置されている。
【００３９】
運転室１０の前壁の下部に設けられた第１視認部２７（図５参照）は、前側表示装置３４に対してブーム１６側（左側）で且つ前側表示装置３４よりも下側に位置する領域に設けられている。この第１視認部２７を通して運転室１０内から運転室１０の外部の前方下側で且つブーム１６側の領域を視認可能となっている。具体的には、第１視認部２７は、運転席３０に座ったオペレータが運転室１０の前方で且つブーム１６側の斜め下（左側斜め下）の領域を当該第１視認部２７を通して視認可能となるように配置されている。第１視認部２７は、運転室１０内の床面に対して垂直な方向から前側へ所定角度だけ傾斜した姿勢で配置されている。クレーン作業時に運転室１０が比較的高い作業位置Ｐ２（図３及び図４参照）に配置された状態で、オペレータは、その運転室１０内から第１視認部２７を通して、地面付近で行われるフック装置１８への吊荷の装着の状況（玉掛等の状況）を視認するようになっている。
【００４０】
運転室１０の前壁の下部に設けられた第２視認部２８は、前側表示装置３４に対してブーム１６と反対側（右側）で且つ前側表示装置３４よりも下側に位置する領域に設けられている。この第２視認部２８を通して運転室１０内から運転室１０の外部の前方下側で且つブーム１６と反対側の領域を視認可能となっている。具体的には、第２視認部２８は、運転席３０に座ったオペレータが運転室１０の前方で且つブーム１６と反対側の斜め下（右側斜め下）の領域を当該第２視認部２８を通して視認可能となるように配置されている。第２視認部２８は、第１視認部２７と同様、運転室１０内の床面に対して垂直な方向から前側へ所定角度だけ傾斜した姿勢で配置されている。クレーン作業時に運転室１０が比較的高い作業位置Ｐ２（図３及び図４参照）に配置された状態で、オペレータは、上部旋回体４を運転室１０からブーム１６と反対側へ向う方向（右方）に旋回させるときに、第２視認部２８を通して前方斜め下で且つ旋回先の領域の状況を視認するようになっている。
【００４１】
運転室１０の側壁に設けられたブーム側窓２９（図６参照）のうち側部表示装置３６の後方に位置する領域は、後側視認部２９ａとなっている。後側視認部２９ａは、クレーンの走行時に運転室１０内から当該後側視認部２９ａを通して旋回体左側バックミラー４５を視認可能となるように設けられている。具体的に、後側視認部２９ａは、運転室１０が走行位置Ｐ１（図１参照）に配置された状態で、運転席３０に座ったオペレータが当該後側視認部２９ａを通して旋回体左側バックミラー４５を視認することが可能な範囲に設けられている。オペレータは、クレーンの走行時に後側視認部２９ａを通して旋回体左側バックミラー４５を視認し、その旋回体左側バックミラー４５に映った上部旋回体４の左側方で且つ後方の領域の状況を確認するようになっている。
【００４２】
また、運転室１０の側壁に設けられたブーム側窓２９のうち側部表示装置３６の前方に位置する領域は、前側視認部２９ｂとなっている。クレーン作業時に運転室１０が作業位置Ｐ２（図３及び図４参照）に配置された状態では、運転室１０内から当該前側視認部２９ｂを通して作業装置８のフック装置１８の位置や状態を視認することが可能となっている（図９参照）。また、クレーン作業時に、運転席３０に座ったオペレータが前側視認部２９ｂを通してブーム１６の姿勢等の状態や、フック装置１８に吊られた吊荷の状態等を視認することも可能となっている。
【００４３】
また、運転室１０の側壁に設けられたブーム側窓２９のうち側部表示装置３６の下方に位置する領域は、下側視認部２９ｃ（図６参照）となっている。下側視認部２９ｃは、走行位置Ｐ１（図１参照）に配置された運転室１０内から当該下側視認部２９ｃを通して前側ミラー４２（図２及び図８参照）及び走行体左側バックミラー４３（図２、図７及び図８参照）を視認可能となるように設けられている。具体的に、下側視認部２９ｃは、運転室１０が走行位置Ｐ１に配置された状態で、運転席３０に座ったオペレータが当該下側視認部２９ｃを通して前側ミラー４２及び走行体左側バックミラー４３を図８に示すように視認することが可能な範囲に設けられている。オペレータは、下側視認部２９ｃを通して前側ミラー４２を視認し、その前側ミラー４２に映った下部走行体２の前側下方の領域であって下部走行体２の前端部に近接した領域の状況を確認するようになっている。また、オペレータは、下側視認部２９ｃを通して走行体左側バックミラー４３を視認し、その走行体左側バックミラー４３に映った下部走行体２の左側後方の状況を確認するようになっている。なお、オペレータは、ブーム１６を構成する部材間の隙間を通して前側ミラー４２及び走行体左側バックミラー４３を視認できるようになっている。
【００４４】
また、下側視認部２９ｃは、走行位置Ｐ１（図１参照）に配置された運転室１０内から当該下側視認部２９ｃを通して旋回体左下側バックミラー４６（図２及び図６参照）を視認可能となるように設けられている。具体的に、下側視認部２９ｃは、運転室１０が走行位置Ｐ１に配置された状態で、運転席３０に座ったオペレータが当該下側視認部２９ｃを通して旋回体左下側バックミラー４６を視認することが可能な範囲に設けられている。オペレータは、下側視認部２９ｃを通して旋回体左下側バックミラー４６を視認し、その旋回体左下側バックミラー４６に映った上部旋回体４の左側後方で且つ下側の領域の状況を確認するようになっている。
【００４５】
以上説明したように、本実施形態では、クレーンの走行に関する情報を表示する前側表示装置３４と作業装置８によるクレーン作業に関する情報を表示する側部表示装置３６とが運転室１０内に設けられているため、表示装置に表示する情報量が増大したとしても、クレーンの走行に関する情報とクレーン作業に関する情報を前側表示装置３４と側部表示装置３６とに表示することができ、表示すべき情報量の増大に対応することができる。
【００４６】
しかも、本実施形態では、クレーンの走行に関する情報とクレーン作業に関する情報を前側表示装置３４と側部表示装置３６とに分けて表示することができるため、表示すべき全体の情報量が増大したとしても、前側表示装置３４と側部表示装置３６のそれぞれの大型化を防ぐことができる。このため、運転室１０内において前側表示装置３４に対してブーム１６側で且つ前側表示装置３４よりも下側に位置する領域にスペースを確保することができ、そのスペースを利用して第１視認部２７を設けることができる。その結果、運転室１０内の運転席３０に座ったオペレータは、第１視認部２７を通して、地面付近で行われるフック装置１８への吊荷の装着の状況を視認することができる。
【００４７】
さらに、本実施形態では、クレーンの走行に関する情報を表示する前側表示装置３４が運転室１０内において運転席３０の前側に設けられているとともに、クレーン作業に関する情報を表示する側部表示装置３６が運転室１０内において運転席３０のブーム１６側の側方に設けられているため、オペレータは、クレーンの走行のために運転席３０から前方を向いてクレーンを運転する時には目線の向きをあまり変えずに前側表示装置３４の表示画面３４ａに表示されるクレーンの走行に関する情報を確認でき、クレーン作業のために運転席３０からブーム１６側を向いて作業装置８を操作する時には目線の向きをあまり変えずに側部表示装置３６に表示されるクレーン作業に関する情報を確認できる。すなわち、本実施形態では、クレーン走行時とクレーン作業時とで状況に応じた情報をオペレータから確認しやすい位置に表示することができる。
【００４８】
また、本実施形態では、運転室１０の前壁のうち前側表示装置３４に対してブーム１６と反対側で且つ前側表示装置３４よりも下側に位置する領域に第２視認部２８が設けられているため、クレーン作業時に運転室１０からブーム１６と反対側の側方（右方）へ上部旋回体４を旋回する場合に、運転室１０内の運転席３０に座ったオペレータは、第２視認部２８を通して前方斜め下で且つ旋回先の領域の状況を視認することができる。
【００４９】
また、本実施形態では、運転室１０のブーム１６側の側壁のうち側部表示装置３６の後方に位置する領域に後側視認部２９ａが設けられていて、運転室１０内からその後側視認部２９ａを通して旋回体左側バックミラー４５を視認可能となっているため、クレーンの走行時に、運転室１０内の運転席３０に座ったオペレータが後側視認部２９ａを通して旋回体左側バックミラー４５に映った上部旋回体４の左側の側方（運転室１０と反対側の側方）で且つ後方の状況を視認することができる。
【００５０】
また、本実施形態では、運転室１０のブーム１６側の側壁のうち側部表示装置３６の下方に位置する領域に下側視認部２９ｃが設けられていて、運転室１０内からその下側視認部２９ｃを通して前側ミラー４２及び走行体左側バックミラー４３を視認可能となっているため、クレーンの走行時に、運転室１０内の運転席３０に座ったオペレータが、下側視認部２９ｃを通して前側ミラー４２に映った下部走行体２の前側下方の領域で且つ下部走行体２の前端部に近接した領域の状況を視認することができるとともに、下側視認部２９ｃを通して走行体左側バックミラー４３に映った下部走行体２の左側後方の領域の状況を視認することができる。
【００５１】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味及び範囲内でのすべての変更が含まれる。
【００５２】
上記実施形態では、移動式クレーンの一例としてのホイールクレーンに本発明を適用した例について説明したが、ホイールクレーン以外の移動式クレーンに本発明を適用することも可能である。例えば、下部走行体としてクローラ式の走行体を備えるクローラクレーン等に本発明を適用することも可能である。
【００５３】
また、上記実施形態では、側部表示装置３６の表示画面３６ａが運転室１０内のブーム１６側の側面に対して略平行に配置されているが、側部表示装置３６の表示画面３６ａが運転室１０内のブーム１６側の側面に対して所定角度（例えば約１０°）だけ後側へ傾斜して配置されていてもよい（図１１参照）。この構成によれば、側部表示装置３６よりも後寄りに設けられている運転席３０に座ったオペレータから側部表示装置３６の表示画面３６ａをより見やすくすることができる。
【００５４】
前側表示装置３４は、クレーンの走行に関する情報に加えてそれ以外の情報を表示してもよく、側部表示装置３６は、作業装置８によるクレーン作業に関する情報に加えてそれ以外の情報を表示してもよい。例えば、前側表示装置３４は、クレーンの走行に関する情報に加えて、クレーン作業に関する情報の一部を表示してもよい。また、側部表示装置３６は、作業装置８によるクレーン作業に関する情報に加えて、クレーンの走行に関する情報の一部を表示してもよい。
【００５５】
また、前側ミラー４２、走行体左側バックミラー４３、旋回体左側バックミラー４５及び旋回体左下側バックミラー４６は、ブーム１６に設けられてもよい。具体的に、クレーンがブーム１６が前方へ倒伏するとともに運転室１０が走行位置Ｐ１に配置される走行状態（図１参照）にある状態で、前側ミラー４２、走行体左側バックミラー４３、旋回体左側バックミラー４５及び旋回体左下側バックミラー４６の前後方向及び左右方向における位置が上記実施形態における各ミラー４２，４３，４５，４６の対応する各位置とほぼ等しくなるようにそれらの前側ミラー４２、走行体左側バックミラー４３、旋回体左側バックミラー４５及び旋回体左下側バックミラー４６をブーム１６に設けてもよい。この構成における各ミラー４２，４３，４５，４６の機能は、上記実施形態における対応するミラーの機能と同様である。
【００５６】
上記実施形態では、上部旋回体４において運転室１０がブーム１６の右側に配置されているが、運転室１０はブーム１６の左側に配置されていてもよい。すなわち、上述したクレーンの各構成を左右逆に配置してもよい。
【符号の説明】
【００５７】
２  下部走行体
６  上部フレーム
８  作業装置
１０  運転室
１６  ブーム
１８  フック装置（装着部）
２７  第１視認部
２８  第２視認部
２９ａ  後側視認部
２９ｃ  下側視認部
３０  運転席
３４  前側表示装置
３６  側部表示装置
４２  前側ミラー
４３  走行体左側バックミラー（下部走行体バックミラー）
４５  旋回体左側バックミラー（上部旋回体バックミラー）
【図１】
0005991294.tif 000002
【図２】
0005991294.tif 000003
【図３】
0005991294.tif 000004
【図４】
0005991294.tif 000005
【図５】
0005991294.tif 000006
【図６】
0005991294.tif 000007
【図７】
0005991294.tif 000008
【図８】
0005991294.tif 000009
【図９】
0005991294.tif 000010
【図１０】
0005991294.tif 000011
【図１１】
0005991294.tif 000012